(57)【要約】【課題】高い保温性を有する床構造を提供する。【解決手段】本考案に係る床構造１００では、下床１０上に設けられた支持具２０と、支持具２０に支持されたベースパネル４２と、ベースパネル４２上に設けられ、中空部５５が設けられた中空板５０と、中空板５０上に設けられた仕上げ材６０と、を含む。【選択図】図１
0003211902.tif 000002
【実用新案登録請求の範囲】
【請求項１】
下床上に設けられた支持具と、
前記支持具に支持されたベースパネルと、
ベースパネル上に設けられ、中空部が設けられた中空板と、
前記中空板上に設けられた仕上げ材と、
を含む、床構造。
【請求項２】
請求項１において、
前記ベースパネルは、木製の合板であり、
前記中空板の材質は、プラスチックである、床構造。
【請求項３】
請求項１または２において、
前記中空部は、前記中空板の全体に連通している、床構造。
【考案の詳細な説明】
【技術分野】
【０００１】
本考案は、床構造に関する。
【背景技術】
【０００２】
従来から、コンクリートスラブなどの下床上に上床を施工する二重床構造が知られている。例えば特許文献１には、下床上に床支持具を配設し、該床支持具に上床ベースパネルを支持させた二重床構造が記載されている。このような二重床構造は、下床の上に直接上床ベースパネルを配置した床構造に比べて、断熱性が高い。
【先行技術文献】
【特許文献】
【０００３】
【特許文献１】特開２０１５−２２４４４６号公報
【考案の概要】
【考案が解決しようとする課題】
【０００４】
しかしながら、上記のような断熱性の高い二重床構造であっても、例えば、部屋の窓を開放した場合には、部屋の温度を所定の温度に保つことは難しい。
【０００５】
本考案のいくつかの態様に係る目的の１つは、高い保温性を有する床構造を提供することにある。
【課題を解決するための手段】
【０００６】
本考案は前述の課題の少なくとも一部を解決するためになされたものであり、以下の態様又は適用例として実現することができる。
【０００７】
［適用例１］
本考案に係る床構造の一態様は、
下床上に設けられた支持具と、
前記支持具に支持されたベースパネルと、
ベースパネル上に設けられ、中空部が設けられた中空板と、
前記中空板上に設けられた仕上げ材と、
を含む。
【０００８】
このような床構造では、例えば暖房装置によって部屋を暖めることにより、中空部に存在する空気を暖めることができ、中空部に熱エネルギーを蓄積することができる。したがって、このような床構造では、部屋を暖めた後に部屋の窓を開放しても、急速に部屋の温度が下がらない。よって、このような床構造では、高い保温性を有することができる。
【０００９】
［適用例２］
適用例１において、
前記ベースパネルは、木製の合板であり、
前記中空板の材質は、プラスチックであってもよい。
【００１０】
このような床構造では、例えば中空板が木製である場合に比べて、加工性しやすく、かつ軽量である。
【００１１】
［適用例３］
適用例１または２において、
前記中空部は、前記中空板の全体に連通していてもよい。
【００１２】
このような床構造では、熱エネルギーを、中空板の全体にわたって蓄えることができる。
【図面の簡単な説明】
【００１３】
【図１】本実施形態に係る床構造を模式的に示す図。
【図２】本実施形態に係る床構造の中空板を模式的に示す斜視図。
【図３】本実施形態の変形例に係る床構造の中空板を模式的に示す断面図。
【図４】本実施形態の変形例に係る床構造の中空板を模式的に示す平面図。
【図５】実験の開始時間と、部屋の温度と、の関係を示すグラフ。
【考案を実施するための形態】
【００１４】
以下、本考案の好適な実施形態について、図面を用いて詳細に説明する。なお、以下に説明する実施形態は、特許請求の範囲に記載された本考案の内容を不当に限定するものではない。また、以下で説明される構成の全てが本考案の必須構成要件であるとは限らない。
【００１５】
１．  床構造
まず、本実施形態に係る床構造について、図面を参照しながら説明する。図１は、本実施形態に係る床構造１００を模式的に示す図である。
【００１６】
床構造１００は、図１に示すように、下床１０と、支持具２０と、土台材３０と、上床４０と、を含む。上床４０は、ベースパネル４２と、中空板５０と、仕上げ材６０と、を有している。
【００１７】
下床１０は、例えば、コンクリートスラブである。
【００１８】
支持具２０は、下床１０上に設けられている。支持具２０は、土台材３０を介して、ベースパネル４２を支持している。図示の例では、支持具２０は、下床１０上に設けられた固定部２２と、土台材３０を受ける受け部２４と、固定部２２と受け部２４とを接続しているボルト部２６と、を有している。固定部２２は、例えば図示せぬ接着剤によって、下床１０に固定されている。受け部２４は、土台材３０を支持している。受け部２４は、高さ調整可能にボルト部２６に螺着されている。ボルト部２６は、固定部２２に固定されている。支持具２０の材質は、例えば、ＡＢＳ（Ａｃｒｙｌｏｎｉｔｒｉｌｅ  Ｂｕｔａｄｉｅｎｅ  Ｓｔｙｒｅｎｅ）樹脂や変性ＰＰＥ（Ｐｏｌｙｐｈｅｎｙｌｅｎｅｅｔｈｅｒ）樹脂などのプラスチック（合成樹脂）である。
【００１９】
支持具２０は、部屋１０２の広さに応じて、複数設けられている。図示の例では、支持具２０は、２つ設けられている（支持具２０ａ，２０ｂ）。支持具２０ａの受け部２４は、支持具２０ｂの受け部２４よりも上方に位置している。支持具２０ｂは、支持具２０ａよりも、壁材７０側に設けられている。
【００２０】
土台材３０は、受け部２４上に設けられている。土台材３０は、ベースパネル４２を支持している。図示の例では、固定部２２は、土台材３０を貫通し、ベースパネル４２の下面に到達している。なお、図示はしないが、固定部２２は、ベースパネル４２の内部にまで到達していてもよい。土台材３０は、例えば、石膏ボード、木製の合板などである。
【００２１】
土台材３０は、支持具２０の数に応じて、複数設けられている。図示の例では、土台材
３０は、２つ設けられている（土台材３０ａ，３０ｂ）。土台材３０ａは、支持具２０ａの受け部２４上に設けられている。土台材３０ｂは、支持具２０ｂの受け部２４上に設けられている。
【００２２】
床構造１００では、下床１０上に支持具２０を設け、支持具２０に上床４０を支持させることにより、下床１０と上床４０とを離間させた二重床構造となっている。そのため、床構造１００は、高い断熱性および遮音性を有することができる。
【００２３】
ベースパネル４２は、土台材３０を介して、支持具２０に支持されている。図示はしないが、ベースパネル４２は、複数設けられ、複数のベースパネル４２が土台材３０上に敷き詰められていてもよい。この場合、隣り合うベースパネル４２の目地が土台材３０ｂ上に位置するように、複数のベースパネル４２を敷き詰める。ベースパネル４２の形状は、例えば、板状である。ベースパネル４２の厚さは、例えば、２０ｍｍ程度である。ベースパネル４２は、例えば、木製の合板などである。
【００２４】
中空板５０は、ベースパネル４２上に設けられている。図示はしないが、中空板５０は、複数設けられ、複数の中空板５０がベースパネル４２上に敷き詰められていてもよい。中空板５０の厚さは、例えば、５ｍｍ以上１５ｍｍ以下である。中空板５０の材質は、例えば、ＡＢＳ樹脂や変性ＰＰＥ樹脂などのプラスチックである。ここで、図２は、中空板５０を模式的に示す斜視図である。
【００２５】
中空板５０は、図２に示すように、第１側面５１と、第２側面５２と、第３側面５３と、第４側面５４と、を有している。側面５１，５２は、互いに対向している。側面５３，５４は、側面５１，５２に接続され、互いに対向している。側面５１，５２，５３，５４は、例えば、ベースパネル４２および仕上げ材６０と接触していない面である。
【００２６】
中空板５０には、中空部５５が設けられている。図２に示す例では、中空板５０は、板状の部材に中空部５５が設けられた形状を有している。中空部５５は、例えば、第１側面５１から第２側面５２まで貫通する貫通孔である。図示の例では、中空部５５は、複数設けられ、複数の中空部５５は、第３側面５３から第４側面５４に向けて並列されている。図示の例では、中空部５５の第１側面５１に設けられた開口の形状は、四角形であるが、特に限定されない。中空部５５には、空気が存在している。中空板５０は、例えば、プレス成形によって形成される。
【００２７】
仕上げ材６０は、図１に示すように、中空板５０上に設けられている。仕上げ材６０は、建物の内外装に使用される、直接目に触れる部材であり、図示の例では、仕上げ材６０は、部屋１０２を規定している部材である。仕上げ材６０の形状は、例えば、板状である。図示はしないが、仕上げ材６０は、複数設けられ、複数の仕上げ材６０が中空板５０上に敷き詰められていてもよい。仕上げ材６０の上面と下床１０の上面との間の距離は、例えば、１５０ｍｍ程度である。仕上げ材６０は、例えば、フローリング、Ｐタイル（プラスチックタイル）、カーペットなどである。
【００２８】
壁材７０は、下壁１２の側面に設けられている。下壁１２は、下床１０に接続されている。壁材７０は、部屋１０２を規定している。図示の例では、仕上げ材６０は、壁材７０と接触している。
【００２９】
壁材７０と土台材３０ｂとの間には、ゴムパッキン７２が設けられている。ゴムパッキン７２は、仕上げ材６０の振動が、壁材７０、土台材３０ｂ、および支持具２０ｂを介して、下床１０に伝わることを抑制することができる。図示の例では、壁材７０の側面には、巾木７４が設けられている。
【００３０】
なお、図示はしないが、ベースパネル４２と中空板５０との間には、合成樹脂に添加剤を加えた材料から構成されるカルプ材が設けられていてもよい。この場合、中空板５０は、カルプ材を介して、ベースパネル４２上に設けられている。
【００３１】
床構造１００は、例えば、以下の特徴を有する。
【００３２】
床構造１００では、下床１０上に設けられた支持具２０と、支持具２０に支持されたベースパネル４２と、ベースパネル４２上に設けられ、中空部５５が設けられた中空板５０と、中空板５０上に設けられた仕上げ材６０と、を含む。そのため、床構造１００では、例えば暖房装置によって部屋１０２を暖めることにより、中空部５５の空気を暖めることができ、中空部５５に熱エネルギーを蓄積することができる。したがって、床構造１００では、部屋１０２を暖めた後に部屋１０２の窓（部屋１０２を規定する壁材に設けられた窓）を開放しても、急速に部屋１０２の温度が下がらない。よって、床構造１００では、高い保温性を有することができ、冷暖房効率を高めることができる。
【００３３】
さらに、床構造１００では、中空部５５が設けられた中空板５０を含むため、クッション性が高い。したがって、例えば、床構造１００を病院や介護施設に用いた場合、患者などが転送したとしても、患者に与える影響が少ない。さらに、床構造１００では、中空部５５が設けられた中空板５０を含むため、高い遮音性を有することができる。
【００３４】
床構造１００では、ベースパネル４２は、木製の合板であり、中空板５０の材質は、プラスチックであってもよい。そのため、床構造１００では、例えば中空板５０が木製である場合に比べて、加工性しやすく、かつ軽量である。さらに、床構造１００では、例えば中空板５０の材質が金属である場合に比べて、高い断熱性を有し、かつ軽量である。
【００３５】
２．  床構造の変形例
次に、本実施形態の変形例に係る床構造２００について、図面を参照しながら説明する。図３は、本実施形態の変形例に係る床構造２００の中空板５０を模式的に示す断面図である。図４は、本実施形態の変形例に係る床構造２００の中空板５０を模式的に示す平面図である。なお、図３は、図４のＩＩＩ−ＩＩＩ線断面図である。
【００３６】
以下、本実施形態の変形例に係る床構造２００において、上述した本実施形態に係る床構造１００の例と異なる点について説明し、同様の点については説明を省略する。
【００３７】
床構造２００の中空板５０は、床構造１００の中空板５０と構造が異なる。床構造２００の中空板５０は、図３および図４に示すように、第１板状部５６と、第２板状部５７と、凹凸状部５８と、を有している。
【００３８】
第１板状部５６および第２板状部５７は、板状の形状である。板状部５６，５７は、凹凸状部５８を挟持している。
【００３９】
凹凸状部５８は、第１板状部５６と第２板状部５７との間に設けられている。凹凸状部５８は、板状部５６，５７に固定されている。凹凸状部５８は、複数の凸部５８ａを有している。凸部５８ａは、例えば、周期的に設けられている。そのため、凹凸状部５８は、図３に示すように、凹凸状の形状を有している。
【００４０】
凸部５８ａは、第１板状部５６から第２板状部５７に向けて凸状の形状を有し、凸部５８ａの頂点を含む領域において、第２板状部５７に接続されている。凸部５８ａと第１板状部５６との間には、中空部５９が設けられている。中空部５９には、空気が存在してい
る。図４に示す例では、凸部５８ａの平面形状は、円形であり、平面視において、複数の凸部５８ａは、細密充填構造を有している。
【００４１】
床構造２００では、中空部５５は、第１板状部５６と第２板状部５７との間の領域であって、凹凸状部５８および中空部５９以外の領域である。したがって、中空部５５は、中空板５０の全体に連通している。
【００４２】
床構造２００では、上述した床構造１００と、同様の効果を有する。
【００４３】
床構造２００では、中空部５５は、中空板５０の全体に連通している。そのため、床構造２００では、熱エネルギーを、中空板５０の全体にわたって蓄えることができる。
【００４４】
床構造２００では、凹凸状部５８の凸部５８ａと、第１板状部５６と、の間には、中空部５９が設けられていてもよい。そのため、床構造２００では、中空部５９においても、熱エネルギーを蓄積することができる。
【００４５】
床構造２００では、凸部５８ａの平面形状は、円形であり、平面視において、複数の凸部５８ａは、細密充填構造を有していてもよい。そのため、床構造２００では、例えば、中空部５５の圧縮強度を高くすることができる。
【００４６】
３．  実験例
以下に実験例を示し、本考案をより具体的に説明する。なお、本考案は、以下の実験例によって何ら限定されるものではない。
【００４７】
実施例として、コンクリートスラブ上に、厚さ２ｍｍのカルプ材、厚さ６ｍｍの中空板（図３に示したような中空部５５が全体に連通している中空板）、厚さ２ｍｍのＰタイルを、この順で敷き詰めた床構造を用意した。比較例として、コンクリートスラブ上に、厚さ２ｍｍのＰタイルを直接、敷き詰めた床構造を用意した。
【００４８】
上記のような床構造によって規定された２つの部屋を、２５℃まで暖めた後、１０℃まで冷やした。そして、両部屋を、暖房装置（エアコン）により再び暖め、部屋の温度が２５℃に到達する時間を測定した。エアコンの設定は、暖房運転の３０℃とし、風量はパワフル運転とした。温度計は、エアコンの吹き出し口からの風が直接当たらない位置であって、Ｐタイルから７０ｃｍ上方の位置に配置した。
【００４９】
図３は、実験の開始時間と、部屋の温度と、の関係を示すグラフである。温度計が１８℃となった時点を実験開始時（０分）とした。図３に示すように、比較例では、２５℃までの所要時間は３８分であったのに対し、実験例では、１７分で２５℃に到達した。実験例では、中空板の中空部には熱エネルギーが蓄えられていたため、比較例より２１分も速く２５℃に到達したといえる。
【００５０】
なお、実験開始時（１８℃）の部屋の湿度は、実施例が５０％、比較例が４５％であった。２５℃到達時の湿度は、実施例が３５％、比較例が３０％であった。
【００５１】
本考案は、実施の形態で説明した構成と実質的に同一の構成（例えば、機能、方法及び結果が同一の構成、あるいは目的及び効果が同一の構成）を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。
【符号の説明】
【００５２】
１０…下床、１２…下壁、２０，２０ａ，２０ｂ…支持具、２２…固定部、２４…受け部、２６…ボルト部、３０，３０ａ，３０ｂ…土台材、４０…上床、４２…ベースパネル、５０…中空板、５１…第１側面、５２…第２側面、５３…第３側面、５４…第４側面、５５…中空部、５６…第１板状部、５７…第２板状部、５８…凹凸状部、５８ａ…凸部、５９…中空部、６０…仕上げ材、７０…壁材、７２…ゴムパッキン、７４…巾木、１００…床構造、１０２…部屋、２００…床構造
【図１】
0003211902.tif 000003
【図２】
0003211902.tif 000004
【図３】
0003211902.tif 000005
【図４】
0003211902.tif 000006
【図５】
0003211902.tif 000007